(57)【要約】【課題】都市模型を活用した情報提供システムを提供する。【解決手段】３次元形状を有する都市模型に対して特定の位置及び／又は方向からの光の照射により発生した陰影パターンを含む画像を撮像する撮像部３６と、撮像部が撮像した画像に含まれる陰影パターン又は当該陰影パターンに基づいて算出された出力値を情報提供装置に送信する第１送信部３１１と、陰影パターン又は出力値に応答して情報提供装置が返信した情報に基づいて、陰影パターンに対応する情報を表示させる表示制御部３１２とを備える。【選択図】図１
2020140167.tif 000002
【特許請求の範囲】
【請求項１】
３次元形状を有する都市模型に対して特定の位置及び／又は方向からの光の照射により発生した陰影パターンを含む画像を撮像する撮像部と、
前記撮像部が撮像した画像に含まれる前記陰影パターン又は当該陰影パターンに基づいて算出された出力値を情報提供装置に送信する第１送信部と、
前記陰影パターン又は前記出力値に応答して前記情報提供装置が返信した情報に基づいて、前記陰影パターンに対応する情報を表示させる表示制御部と
を備える情報処理装置。
【請求項２】
前記表示制御部は、前記撮像部が撮像した画像の一部に、前記情報提供装置が返信した情報を重畳して表示する、請求項１に記載の情報処理装置。
【請求項３】
３次元形状を有する都市模型に対して特定の位置及び／又は方向からの光の照射により発生する陰影パターン又は当該陰影パターンに基づく出力値と、前記陰影パターンを作成した都市模型に関連する情報とを対応付けて記憶する対応テーブルを備える記憶装置と通信可能に接続され、
情報処理装置から受信した陰影パターン又は出力値に対応付けて記憶された情報を、前記対応テーブルから取得する取得部と、
前記取得部が取得した情報を前記情報処理装置に送信する第２送信部と
を備える情報提供装置。
【請求項４】
コンピュータによって実行される方法であって、
３次元形状を有する都市模型に対して特定の位置及び／又は方向からの光の照射により発生した陰影パターンを含む画像を撮像する工程と、
撮像した前記画像に含まれる前記陰影パターン又は当該陰影パターンに基づいて算出された出力値を情報提供装置に送信する工程と、
前記陰影パターン又は前記出力値に応答して前記情報提供装置が返信した情報に基づいて、前記陰影パターンに対応する情報を表示させる工程と
を含む方法。
【請求項５】
コンピュータに、
３次元形状を有する都市模型に対して特定の位置及び／又は方向からの光の照射により発生した陰影パターンを含む画像を撮像する処理と、
撮像した前記画像に含まれる前記陰影パターン又は当該陰影パターンに基づいて算出された出力値を情報提供装置に送信する処理と、
前記陰影パターン又は前記出力値に応答して前記情報提供装置が返信した情報に基づいて、前記陰影パターンに対応する情報を表示させる処理と
を実行させるプログラム。
【請求項６】
３次元形状を有する都市模型と、
前記都市模型に対して特定の位置及び／又は方向から光を照射する照明装置と、
前記都市模型に関連する情報を提供する情報提供装置と、
を備え、
前記照明装置の光の照射により前記都市模型に発生する陰影パターンに基づいて、前記情報提供装置が、前記都市模型に関連する情報を提供する、情報提供システム。
【発明の詳細な説明】
【技術分野】
【０００１】
本発明は、情報提供システムに関する。
【背景技術】
【０００２】
都市計画、アーバンデザイン、環境計画を行う際には、行政、企業及び住民が協力しながら意見交換を行うことが望ましい。そして、このように多くの人々が現在・未来の都市のイメージを共有するツールの一つとして、都市の街並みを再現した都市模型を用いることが知られている。
【０００３】
特許文献１には、都市のシミュレーションに、街並みを再現した模型を用いることが記載されている。
【先行技術文献】
【特許文献】
【０００４】
【特許文献１】特開平７−２９５４６９号公報
【発明の概要】
【発明が解決しようとする課題】
【０００５】
都市模型の制作には、一定のコストがかかるものであり、制作された都市模型を有効的に活用していくことが望まれる。
【０００６】
そこで、本発明は、都市模型を活用した情報提供システムを提供することを目的とする。
【課題を解決するための手段】
【０００７】
本発明の一態様に係る情報処理装置は、３次元形状を有する都市模型に対して特定の位置及び／又は方向からの光の照射により発生した陰影パターンを含む画像を撮像する撮像部と、撮像部が撮像した画像に含まれる陰影パターン又は当該陰影パターンに基づいて算出された出力値を情報提供装置に送信する第１送信部と、陰影パターン又は出力値に応答して情報提供装置が返信した情報に基づいて、陰影パターンに対応する情報を表示させる表示制御部とを備える。
【０００８】
この態様によれば、都市模型を活用して、当該都市模型により形成された陰影パターンに対応する情報を情報処理装置において表示することができる。このような付加情報の提供を可能とすることで、都市模型により再現された一時点における街並みだけでなく、未来の都市、過去の都市、都市の地盤情報等、都市模型そのものからは得られない情報についても、情報処理装置のユーザに提供することができる。
【０００９】
また、本発明によれば、都市模型に光が照射されることで付加情報が情報処理装置上に表示され、一方で、同都市模型に光が照射されない場合には、付加情報は情報処理装置上に表示されないので、単なる付加情報の提供にとどまらない、エンターテイメント性の高い体験を情報処理装置のユーザに提供することができる。
【００１０】
さらに、本発明によれば、都市模型に対して特定の位置及び／又は方向からの光の照射により発生した陰影パターンによりはじめて、付加情報が情報処理装置上に表示される、すなわち、都市模型に対して特定の位置及び／又は方向から光を照射しない限りは付加情報が漏れることがないので、秘匿性の高い方法で付加情報を提供することができる。
【００１１】
上記情報処理装置において、表示制御部は、撮像部が撮像した画像の一部に、情報提供装置が返信した情報を重畳して表示してもよい。この態様によれば、画像内の都市模型に対応する情報を、画面内の適切な場所に重ね合わせて表示することができる。例えば、情報提供装置から、これから建設予定のビルの三次元形状の情報を受信することで、情報処理装置のユーザに、周辺環境への影響等を視認させることができる。
【００１２】
本発明の他の態様に係る情報提供装置は、３次元形状を有する都市模型に対して特定の位置及び／又は方向からの光の照射により発生する陰影パターン又は当該陰影パターンに基づく出力値と、陰影パターンを作成した都市模型に関連する情報とを対応付けて記憶する対応テーブルを備える記憶装置と通信可能に接続され、情報処理装置から受信した陰影パターン又は出力値に対応付けて記憶された情報を、対応テーブルから取得する取得部と、取得部が取得した情報を情報処理装置に送信する第２送信部とを備える。
【００１３】
この態様によれば、都市模型を活用して、当該都市模型により形成された陰影パターンに対応する情報を情報処理装置に提供することができる。このような付加情報の提供を可能とすることで、都市模型により再現された一時点における街並みだけでなく、未来の都市、過去の都市、都市の地盤情報等、都市模型そのものからは得られない情報についても、情報処理装置のユーザに提供することができる。
【００１４】
また、本発明によれば、都市模型に光が照射されることで付加情報が情報処理装置に提供され、一方で、同都市模型に光が照射されない場合には、付加情報は情報処理装置に提供されないので、単なる付加情報の提供にとどまらない、エンターテイメント性の高い体験を情報処理装置のユーザに提供することができる。
【００１５】
さらに、本発明によれば、都市模型に対して特定の位置及び／又は方向からの光の照射により発生した陰影パターンによりはじめて、付加情報が情報処理装置に提供される、すなわち、都市模型に対して特定の位置及び／又は方向から光を照射しない限りは付加情報が漏れることがないので、秘匿性の高い方法で付加情報を提供することができる。
【００１６】
本発明の他の態様に係る、コンピュータによって実行される方法は、３次元形状を有する都市模型に対して特定の位置及び／又は方向からの光の照射により発生した陰影パターンを含む画像を撮像する工程と、撮像した画像に含まれる陰影パターン又は当該陰影パターンに基づいて算出された出力値を情報提供装置に送信する工程と、陰影パターン又は出力値に応答して情報提供装置が返信した情報に基づいて、陰影パターンに対応する情報を表示させる工程とを含む。
【００１７】
本発明の他の態様に係るプログラムは、コンピュータに、３次元形状を有する都市模型に対して特定の位置及び／又は方向からの光の照射により発生した陰影パターンを含む画像を撮像する処理と、撮像した画像に含まれる陰影パターン又は当該陰影パターンに基づいて算出された出力値を情報提供装置に送信する処理と、陰影パターン又は出力値に応答して情報提供装置が返信した情報に基づいて、陰影パターンに対応する情報を表示させる処理とを実行させる。
【００１８】
本発明の他の態様に係る情報提供システムは、３次元形状を有する都市模型と、都市模型に対して特定の位置及び／又は方向から光を照射する照明装置と、都市模型に関連する情報を提供する情報提供装置と、を備え、照明装置の光の照射により都市模型に発生する陰影パターンに基づいて、情報提供装置が、都市模型に関連する情報を提供する。
【発明の効果】
【００１９】
本発明によれば、都市模型を活用した情報提供システムを提供することができる。
【図面の簡単な説明】
【００２０】
【図１】本発明の一実施形態に係る情報提供システムの概略図である。
【図２】本発明の一実施形態に係る端末装置の構成図である。
【図３】本発明の一実施形態に係るサーバ装置の構成図である。
【図４】本発明の一実施形態に係る情報提供処理の一例を示すフローチャートである。
【図５】都市模型への光の照射により発生した陰影パターンの一例を示す図である。
【発明を実施するための形態】
【００２１】
添付図面を参照して、本発明の好適な実施形態について説明する。なお、以下の実施形態は、本発明の理解を容易にするためのものであり、本発明を限定して解釈するためのものではない。また、本発明は、その要旨を逸脱しない限り、さまざまな変形が可能である。さらに、当業者であれば、以下に述べる各要素を均等なものに置換した実施形態を採用することが可能であり、係る実施形態も本発明の範囲に含まれる。
【００２２】
（システム構成）
図１は、本発明の一実施形態に係る情報提供システム１００の概略図である。図１に示すように、情報提供システム１００は、都市模型１０、都市模型１０を含む領域を照射する照明装置２０、端末装置３０（３０ａ〜３０Ｎ）（情報処理装置）及びサーバ装置４０（情報提供装置）を備える。端末装置３０は、サーバ装置４０とネットワークＮを介して通信を行うように構成されている。
【００２３】
都市模型１０は、所定の領域内に含まれるビル、住宅、道路、鉄道、川等を所望の縮尺で作成した３次元形状の模型である。また、都市模型１０は、３Ｄプリンタ等の３次元形状形成装置によって出力されるものであってよい。
【００２４】
照明装置２０は、都市模型１０に対して特定の位置に設置され、都市模型１０の少なくとも特定の一部の領域を、当該特定の位置から特定の角度で直接照射する照明装置である。照明装置２０が指向性を有する場合、都市模型１０に対して特定の方向から光を照射するように、照明装置２０の光軸の向きを調整してよい。照明装置２０から光が照射されると、都市模型１０の凹凸に起因した陰影が発生する。このため、都市模型１０に対して特定の位置及び／又は方向から光を照射することで、都市模型１０の少なくとも一部の領域で、特定の陰影パターンが生成されることになる。
【００２５】
端末装置３０は、都市模型１０への光の照射により発生した陰影パターンを読み取る機能を備えており、陰影パターンから読み取った出力値を、サーバ装置４０に送信する。なお、出力値は陰影パターンそのものであってもよい。また、端末装置３０は、出力値に応答してサーバ装置４０が返信した情報に基づいて、陰影パターンに対応する情報を表示することができる。陰影パターンとは、陰影による暗モジュールのパターンによって情報を記録するものであってよく、例えばＡＲ（Augmented Reality）コンテンツ等を含む各種コンテンツ情報の内容や表示する位置を指定するための標識となり得る。
【００２６】
サーバ装置４０は、端末装置３０から受信した出力値に対応する情報を検索して、端末装置３０に返信する。
【００２７】
（端末装置構成）
図２は、本発明の一実施形態に係る端末装置３０の構成を示す。端末装置３０は、端末装置を制御する端末制御部３１、ネットワークＮに接続するための端末通信部３２、各種情報を表示する表示部３３、ユーザからの操作を受け付ける操作部３４、端末記憶部３５及び陰影パターンを含む画像を撮像する撮像部３６を備えている。
【００２８】
端末制御部３１は、ＣＰＵやＭＰＵといった一又は複数個のプロセッサ及びその周辺回路を備え、端末装置３０全体の動作を制御するものである。端末制御部３１は、端末装置３０の各種処理が、端末記憶部３５に記憶されているプログラムに沿って、且つ、操作部３４の操作等に応じて適切な手順で実行されるように、端末通信部３２、表示部３３等の動作を制御する。
【００２９】
端末通信部３２は、通信インターフェース回路を備え、端末装置３０をネットワークＮに接続する。端末通信部３２は、端末制御部３１から供給されたデータをサーバ装置４０に送信するとともに、サーバ装置４０から受信したデータを端末制御部３１に供給する。
【００３０】
表示部３３は、端末制御部３１から供給された映像データに応じた映像、画像データに応じた画像等を表示するものであり、端末装置３０の画面の主要部を構成する。かかる表示部３３としては、テキスト、映像、画像等の表示が可能であればどのようなデバイスでもよく、例えば、液晶ディスプレイ、有機ＥＬ（Electro−Luminescence）ディスプレイ等が挙げられる。
【００３１】
操作部３４は、ユーザからの操作を受け付けるように構成され、例えば、タッチパネル、タッチパッド等によって実現することができる。ユーザからの操作を受け付けると、操作部３４は、その操作に対応する信号を発生し、その信号を端末制御部３１に供給する。端末装置３０は、ユーザによる操作信号を、端末制御部３１において処理するか、または端末通信部３２を介してサーバ装置４０へ送信することにより、必要な動作を要求する。
【００３２】
端末記憶部３５は、例えば、フラッシュメモリ、磁気ディスク装置、又は光ディスク装置のうちの少なくとも何れか１つを備え、端末制御部３１での処理に用いられる所定のプログラム、データ等を記憶する。なお、端末記憶部３５は、所定の処理に係る一時的なデータを記憶してもよい。
【００３３】
撮像部３６は、陰影パターンを含む画像を撮像可能なカメラを備え、ユーザが撮像部３６を陰影パターンに向けると、撮像部３６により陰影パターンを含む画像が取得される。
【００３４】
また、同図に示すように、端末制御部３１は、陰影パターンから出力値を読み取る読取部３１０と、読み取られた出力値をサーバ装置４０に送信する端末送信部３１１と、出力値に応答してサーバ装置４０が返信した情報に基づいて、陰影パターンに対応する情報を表示させる表示制御部３１２を備えている。例えば、読取部３１０は、撮像部３６が撮像した画像に基づいて暗モジュールを識別し、この暗モジュールのパターンに基づいて出力値を算出する。なお、陰影パターンに基づいて算出される出力値は、数値のような値に限定されず、文字列や識別子等も含む。
【００３５】
（サーバ構成）
図３は、本発明の一実施形態に係るサーバ装置４０の構成を示す。なお、図３では、単一のサーバ装置４０を想定し、必要な機能構成だけを示しているが、サーバ装置４０を、複数のコンピュータシステムによる多機能の分散システムの一部として構成することもできる。同図に示すように、サーバ装置４０は、少なくともサーバ制御部４１、サーバ通信部４２及びサーバ記憶部４３を備える。
【００３６】
サーバ制御部４１は、例えばＣＰＵやＭＰＵといったプロセッサ及びその周辺回路を備え、サーバ装置４０全体の動作を制御するものである。サーバ制御部４１は、メモリ等に記憶されているプログラムに従って、サーバ記憶部４３に記憶されているデータベースと協働しながら情報の検索等を実行する処理装置を備えている。
【００３７】
サーバ通信部４２は、サーバ装置４０とネットワークＮとの間で通信を行うものであり、端末装置３０から受信したデータをサーバ制御部４１に供給するとともに、サーバ制御部４１から供給されたデータを端末装置３０へ送信する機能を有する。
【００３８】
サーバ記憶部４３は、各種プログラムや各種データを記憶するためのものである。サーバ記憶部４３は、陰影パターンの出力値と、当該陰影パターンに基づく情報とを対応付けて記憶するための対応テーブル４３０を備えている。ここで、陰影パターンに基づく情報は、陰影パターンを作成した都市模型に関連する関連情報であってよい。
【００３９】
対応テーブル４３０は、出力値と、関連情報とを有していることが望ましい。関連情報には、例えば、これから建設予定のビル等を含む未来の都市を再現する画像データ、過去のある時点の都市を再現する画像データ、都市内の土地の地盤情報、都市内の土地の用途地域情報等、都市に関する任意の情報を記憶することができる。
【００４０】
また、同図に示すように、サーバ制御部４１は、対応テーブル４３０から、出力値に対応付けて記憶された情報を取得する取得部４１０と、取得された情報を端末装置３０に送信するサーバ送信部４１１とを備えている。
【００４１】
（情報提供処理）
図４を参照して、本発明の一実施形態に係る情報提供処理を詳細に説明する。本実施形態では、図４で説明される情報提供処理を行う前に、サーバ装置４０の対応テーブル４３０には、図５の領域５０１の陰影パターンの出力値に対応付けて、未来の都市を再現する３Ｄ画像データが記憶されているものとする。
【００４２】
図５の陰影パターンは、特定の位置に設置された照明装置２０から、都市模型１０に照明が照射されることで形成される。また、本実施形態では、図５に示される陰影を含む画像の撮像に適した撮像位置を示す位置ガイダンスが、空間内に設置されているものとする。位置ガイダンスは、撮像位置を示す室内地図、撮像位置の床に設置された標識等、任意のものとすることができる。
【００４３】
撮像位置の床に設置され、文字列「ここから〇×ビルを撮影してみよう」を含む標識の上に位置するユーザが、端末装置３０の撮像部３６を〇×ビル５０２に向けると、ステップＳ４０１において、撮像部３６は領域５０１の陰影パターンを含む画像を撮像する。
【００４４】
ステップＳ４０２において、端末装置３０の読取部３１０は、撮像部３６が撮像した画像に基づいて暗モジュールを識別し、この暗モジュールのパターンに基づいて出力値を算出する。ステップＳ４０３において、端末装置３０の端末送信部３１１は、読取部３１０が算出した出力値をサーバ装置４０に送信する。
【００４５】
端末装置３０から出力値を受信すると、ステップＳ４０４において、サーバ装置４０の取得部４１０は、対応テーブル４３０から、出力値に対応付けて記憶された関連情報を取得する。本実施形態では、取得部４１０は、領域５０１の陰影パターンを作成した都市模型１０の未来の都市を再現する３Ｄ画像データを取得したものとする。
【００４６】
ステップＳ４０５において、サーバ装置４０のサーバ送信部４１１は、取得部４１０が取得した情報を端末装置３０に送信する。
【００４７】
サーバ装置４０から情報を受信すると、ステップＳ４０６において、クライアント端末１０の表示制御部３１２は、出力値に応答してサーバ装置４０が返信した情報に基づいて、陰影パターンに対応する情報を表示部３３に表示させる。本実施形態では、表示制御部３１２は、撮像部３６が撮像した画像の一部に、サーバ装置４０から受信した３Ｄ画像データを重畳して表示部３３に表示し、これから建設予定のビルの三次元形状や周辺環境への影響等をユーザに視認させることができる。
【００４８】
なお、本実施形態では、表示制御部３１２が端末装置３０の表示部３３に陰影パターンに対応する情報を表示させる例について説明したが、別の実施形態では、他の任意の表示装置に陰影パターンに対応する情報を表示させてもよい。
【００４９】
また、本実施形態では、撮像位置に応じて異なる陰影パターンが形成される都市模型が用いられ、位置ガイダンスが空間内に設置されている例について説明したが、都市模型周辺の任意の撮像位置において同一の陰影パターンが形成される都市模型が用いられてもよい。
【００５０】
以上、本発明によれば、都市模型を活用して、当該都市模型に関連する情報をサーバ装置４０から端末装置３０に提供するシステムを提供することができる。このような付加情報の提供を可能とすることで、都市模型により再現された一時点における街並みだけでなく、未来の都市、過去の都市、都市の地盤情報等、都市模型そのものからは得られない情報を、端末装置３０のユーザに提供することができる。
【００５１】
また、本発明によれば、都市模型に光が照射されることで、例えば付加情報の一例であるＡＲイメージが端末装置３０上に表示され、一方で、同都市模型に光が照射されない場合には、ＡＲイメージは端末装置３０上に表示されないので、単なる付加情報の提供にとどまらない、エンターテイメント性の高い体験を端末装置３０のユーザに提供することができる。このエンターテイメント性の高い体験の提供は、例えば、都市計画のプレゼン等の場面においてインパクトがあり、端末装置３０のユーザをより惹きつけることができる。
【００５２】
さらに、本発明によれば、都市模型に対して特定の位置及び／又は方向からの光の照射により発生した陰影パターンによりはじめて、例えば付加情報の一例であるＡＲイメージが端末装置３０上に表示される、すなわち、都市模型に対して特定の位置及び／又は方向から光を照射しない限りはＡＲイメージが漏れることがないので、秘匿性の高い方法で付加情報を提供することができる。例えば、都市計画のプレゼン等の場面において、付加情報を秘匿性の高い方法で提供しプレゼン内容を漏れにくくすることは、付加情報を管理する点からも望ましい。
【符号の説明】
【００５３】
１０…都市模型、２０…照明装置、３０…端末装置（情報処理装置）、３１…端末制御部、３１０…読取部、３１１…端末送信部（第１送信部）、３１２…表示制御部、３２…端末通信部、３３…表示部、３４…操作部、３５…端末記憶部、３６…撮像部、４０…サーバ装置（情報提供装置）、４１…サーバ制御部、４１０…取得部、４１１…サーバ送信部（第２送信部）、４２…サーバ通信部、４３…サーバ記憶部、４３０…対応テーブル、１００…情報提供システム、５０１…領域、５０２…〇×ビル、Ｎ…ネットワーク
【図１】
2020140167.tif 000003
【図２】
2020140167.tif 000004
【図３】
2020140167.tif 000005
【図４】
2020140167.tif 000006
【図５】
2020140167.tif 000007